(57)【要約】      （修正有）【課題】待機モ−ドから通常モ−ドへの切替が行われる際に、マイコンへの電圧の供給を安定化させ、誤動作の発生を抑制することが可能なテレビジョン受信装置を提供する。 【解決手段】電源オンの操作があったときに、即座に通常モ−ドに切り替え、システムＩＣ２０を構成する全回路に一度に電圧を供給するのではなく、まず、水平回路が動作するまでの間に、水平回路の動作に必要な回路にのみ電圧を供給する電圧保護モ−ドに切り替え、水平回路が動作するタイミングで通常モ−ドに切り替えるようにする。【選択図】図１
0003110950.tif 000002
【実用新案登録請求の範囲】
【請求項１】
受信したテレビジョン放送電波に基づくテレビ映像を表示するテレビジョン受信装置において、
受信したテレビジョン放送電波に基づく映像をディスプレイに表示させるための信号処理を行うシステムＩＣと、
電源オンの操作の入力があったことを受けて、上記システムＩＣを構成する回路のうち、リセット回路およびマイコン基準発振回路以外の回路への電圧の供給を遮断する待機モ−ドから、通常モ−ドへの切替が行われる際、上記電源オンの操作の入力があったときから、水平回路が動作するまでの期間において、上記システムＩＣを構成する回路のうち、リセット回路、基準電圧コントロ−ル回路、マイコン基準発振回路、水平基準発振回路および垂直基準発振回路以外の回路への電圧の供給を遮断する電圧保護モ−ドに切り替え、
その後、水平回路が動作するタイミングで上記通常モ−ドに切り替えることを特徴とするテレビジョン受信装置。
【請求項２】
受信したテレビジョン放送電波に基づくテレビ映像を表示するテレビジョン受信装置において、
受信したテレビジョン放送電波に基づく映像をディスプレイに表示させるための信号処理を行うシステムＩＣと、
電源オンの操作の入力があったことを受けて、待機モ−ドから通常モ−ドへの切替が行われる際、上記電源オンの操作の入力があったときから、水平回路が動作するまでの期間において、上記システムＩＣを構成する回路のなかの一部の回路への電圧の供給を遮断する電圧保護モ−ドに切り替え、
その後、水平回路が動作するタイミングで上記通常モ−ドに切り替えることを特徴とするテレビジョン受信装置。
【請求項３】
上記電圧保護モ−ドにおいて、上記システムＩＣを構成する回路のうち、水平回路の動作に必要のない回路への電圧の供給を遮断することを特徴とする請求項２に記載のテレビジョン受信装置。
【請求項４】
上記電圧保護モ−ドにおいて、上記システムＩＣを構成する回路のうち、リセット回路、基準電圧コントロ−ル回路、マイコン基準発振回路、水平基準発振回路および垂直基準発振回路以外の回路への電圧の供給を遮断することを特徴とする請求項３に記載のテレビジョン受信装置。
【請求項５】
上記待機モ−ドにおいて、上記システムＩＣを構成する回路のうち、リセット回路およびマイコン基準発振回路以外の回路への電圧の供給を遮断することを特徴とする請求項２〜４のいずれかに記載のテレビジョン受信装置。
【考案の詳細な説明】
【技術分野】
【０００１】
本考案は、テレビジョン受信装置に関するものである。
【背景技術】
【０００２】
従来、電源のオフ時に、システムＩＣを構成する複数の回路のうち、一部の回路（例えば、マイコンの基準発振回路）のみに電力が供給される待機モ−ド（スタンバイモ−ド）に移行されるテレビジョン受信装置が知られている（例えば、特許文献１参照）。
【０００３】
図５は、従来技術にかかるテレビジョン受信装置の概略構成を示すブロック図である。同図において、電源がオンの状態の通常モ−ドと、電源オフ時の待機モ−ドとでは、電圧ライン１〜４において、それぞれ異なる電圧が供給されている。従って、図６に示すように、各電圧ラインについて、電源回路９からの出力電圧を可変させる回路（Ｐ−ＯＮコントロ−ル回路７）を具備している。このＰ−ＯＮコントロ−ル回路７では、電圧ライン１の電圧に応じて、フィ−ドバック回路７ａにより、電圧出力のフィ−ドバックを行っている。
【０００４】
図７は、図５に示したテレビジョン受信装置におけるシステムＩＣ１を構成する各回路のうち、８．７Ｖ供給ライン４および３．３Ｖ供給ライン５に接続されている回路を示す図である。同図に示すように、図５に示した８．７Ｖ供給ライン４および３．３Ｖ供給ライン５には、システムＩＣ１を構成する種々の回路が接続されている。これらのうち、図中、破線にて囲った回路は、電源オフ時の待機モ−ドにおいては、電源が供給されない。すなわち、待機モ−ドにおいては、リセット回路１１およびマイコン基準発振回路１５にのみ電力が供給されているのである。
【特許文献１】特開平０５−２２７４９９号公報
【考案の開示】
【考案が解決しようとする課題】
【０００５】
ここで、待機モ−ドになっているときに、電源オンの操作がなされ、通常モ−ドに切り替えられると、図７に示した全回路に電力が供給されるようになるため、８．７Ｖ供給ライン４および３．３Ｖ供給ライン５への付加が急激に増加し、システムＩＣ１を構成するマイコンへ正しい電圧が供給されなくなり、マイコンの誤動作の原因となってしまう。
これは、Ｐ−ＯＮコントロ−ル回路７による電源回路９の電圧の切り替えが成されてから、水平回路３が動作するまでに時間がかかるためであり、電源回路９の電圧が切り替わってから水平回路３が動作するまでの間に、水平回路３への電圧の付加が軽くなることに起因する。
上述したようなマイコンの誤動作の防止策として、従来では、マイコンへの電圧の供給ラインの電圧の落ち込みを防止するスタンバイ専用トランスを具備する電源回路を用いていたが、コスト高となっていた。
【０００６】
本考案は、かかる実情に鑑み、待機モ−ドから通常モ−ドへの切替が行われる際に、マイコンへの電圧の供給を安定化させ、誤動作の発生を抑制することが可能なテレビジョン受信装置を提供しようとするものである。
【課題を解決するための手段】
【０００７】
上記目的を達成するため、請求項２にかかる考案は、受信したテレビジョン放送電波に基づくテレビ映像を表示するテレビジョン受信装置において、
受信したテレビジョン放送電波に基づく映像をディスプレイに表示させるための信号処理を行うシステムＩＣと、
電源オンの操作の入力があったことを受けて、待機モ−ドから通常モ−ドへの切替が行われる際、上記電源オンの操作の入力があったときから、水平回路が動作するまでの期間において、上記システムＩＣを構成する回路のなかの一部の回路への電圧の供給を遮断する電圧保護モ−ドに切り替え、
その後、水平回路が動作するタイミングで上記通常モ−ドに切り替える構成としてある。
【０００８】
上記のように構成した請求項２にかかる考案において、テレビジョン受信装置は、受信したテレビジョン放送電波に基づくテレビ映像を表示するものであり、同放送電波に基づく映像をディスプレイに表示させるための各種の信号処理を行うシステムＩＣを具備している。このシステムＩＣを構成する回路としては、マイコンのほか、図７に示したような各種の回路を含むものである。
【０００９】
そして、電源オンの操作の入力があったことを受けて、待機モ−ドから通常モ−ドへの切替が行われる際、上記電源オンの操作があったときから、水平回路が動作するまでの期間において、上記システムＩＣを構成する回路のなかの一部の回路への電源の供給を遮断する電圧保護モ−ドに切り替え、その後、水平回路が動作するタイミングで上記通常モ−ドに切り替える構成となっている。すなわち、待機モ−ドから通常モ−ドへの切替が行われる際、電源オンの操作を受けて、即座に、システムＩＣを構成する全ての回路への電圧の供給を行う通常モ−ドに切り替えるのではなく、まず、電源オンの操作があってから水平回路が動作するまでの間、一部の回路への電圧の供給を遮断する電圧保護モ−ドに切り替え、水平回路が動作するようになってから、通常モ−ドに切り替えるようにするのである。このようにすることにより、マイコンへの電圧の供給ラインに一度に大きな負荷がかかることがなく、マイコンへの電圧供給が不安定になることを防止することができ、マイコンの誤動作の発生を抑制することが可能となる。
【００１０】
また、請求項３にかかる考案は、上記電圧保護モ−ドにおいて、上記システムＩＣを構成する回路のうち、水平回路の動作に必要のない回路への電源の供給を遮断する構成としてある。
上記のように構成した請求項３にかかる考案において、水平回路の動作に必要のない回路への電源の供給を遮断することにより、マイコンへの電圧供給の不安定化を抑制することが可能となる。
【００１１】
また、請求項４にかかる考案は、上記電圧保護モ−ドにおいて、上記システムＩＣを構成する回路のうち、リセット回路、基準電圧コントロ−ル回路、マイコン基準発振回路、水平基準発振回路および垂直基準発振回路以外の回路への電圧の供給を遮断する構成としてある。
上記のように構成した請求項４にかかる考案において、水平回路の動作に関係するリセット回路、基準電圧コントロ−ル回路、マイコン基準発振回路、水平基準発振回路および垂直基準発振回路以外の回路への電圧の供給を遮断するマイコンへの電圧の不安定化を抑制することが可能となる。
【００１２】
また、請求項５にかかる考案は、上記待機モ−ドにおいて、上記システムＩＣを構成する回路のうち、リセット回路およびマイコン基準発振回路以外の回路への電圧の供給を遮断する構成としてある。
【００１３】
上記のように構成した請求項５において、電源オフ時の待機モ−ドにおいては、システムＩＣを構成する回路のうち、リセット回路およびマイコン基準発振回路以外の回路への電圧の供給が遮断されることとなる。
【考案の効果】
【００１４】
本考案の請求項２にかかる考案ではマイコンへの電圧が不安定になることを防止することができ、マイコンの誤動作の発生を抑制することが可能となる。
請求項３にかかる考案では、マイコンへの電圧供給の不安定化を抑制することが可能となる。
請求項４にかかる考案では、水平回路の動作に関係するリセット回路、基準電圧コントロ−ル回路、マイコン基準発振回路、水平基準発振回路および垂直基準発振回路以外の回路への電圧の供給を遮断するマイコンへの電圧供給の不安定化を抑制することが可能となる。
請求項５にかかる考案では、電源オフ時の待機モ−ドにおいて、システムＩＣを構成する回路のうち、リセット回路およびマイコン基準発振回路以外の回路への電圧の供給が遮断されることとなる。
【考案を実施するための最良の形態】
【００１５】
以下、下記の順序に従って本考案の実施形態を説明する。
（１）システムＩＣの構成：
（２）テレビジョン受信装置の動作：
（３）まとめ：
【００１６】
（１）システムＩＣの構成：
以下、本考案の実施形態について説明する。なお、実施形態にかかるテレビジョン受信装置の構成については、図５に示したテレビジョン受信装置と略同様であり、以下においては、図５に示したシステムＩＣ１の構成について説明する。
図１は、本考案の実施形態にかかるテレビジョン受信装置が具備するシステムＩＣの概略構成を示すブロック図である。同図において、システムＩＣ２０は、マイコン４０と、ＲＯＭ４１と、マイコン４０のワ−クエリアとしてのＲＡＭ４２とを具備している。そして、マイコン４０は、リセット信号を生成するリセット回路２１と、８Ｖ基準電圧コントロ−ル回路２２と、５Ｖ基準電圧コントロ−ル回路２３と、１．８Ｖ基準電圧コントロ−ル回路２３と、マイコン基準発振回路２５と、水平基準発振回路２６と、垂直基準発振回路２７と、カラーバースト信号周波数に同期させるため基準発振を行うクロマ基準発振回路２８と、ディスプレイ（図示せず）に表示可能な映像信号とするための信号処理を行う映像出力回路２９と、スピ−カ（図示せず）に出力可能な音声信号とするための音声処理回路３０とを具備している。
【００１７】
マイコン４０と接続されているこれらの回路のうち、リセット回路２１およびマイコン基準発振回路２５は、マイコン４０と直接接続されているが、８Ｖ基準電圧コントロ−ル回路２２、５Ｖ基準電圧コントロ−ル回路２３、水平基準発振回路２６および垂直基準発振回路２７は、スイッチ回路ＳＷ１を介してマイコン４０と接続されており、また、１．８Ｖ基準電圧コントロ−ル回路２４、クロマ基準発振回路２８、映像出力回路２９および音声処理回路３０は、スイッチ回路ＳＷ２を介してマイコン４０と接続されている。
上述したＲＯＭ４１には、スイッチ回路ＳＷ１およびスイッチ回路ＳＷ２の切替動作を規定するＳＷ切替プログラム４１ａが記憶されている。
【００１８】
図２は、電源オフ時の待機モ−ド、電圧保護モ−ドおよび通常モ−ドの各モ−ドにおいて、電圧が供給される回路を示す図である。同図において、待機モ−ド時には、８．７Ｖ供給ライン４および３．３Ｖ供給ライン５（図５参照）に接続されている回路のうち、リセット回路２１およびマイコン基準発振回路２５にのみ電圧が供給されており、その他の回路については、電圧の供給が遮断された状態となっている。一方、電圧保護モ−ドにおいては、リセット回路２１およびマイコン基準発振回路２５に加えて、水平回路３（図５参照）の動作に必要のない８Ｖ基準電圧コントロ−ル回路２２、５Ｖ基準電圧コントロ−ル回路２３、水平基準発振回路２６および垂直基準発振回路２７に電圧が供給され、その他の回路については、電源が遮断された状態となっている。さらに、通常モ−ドにおいては、電圧保護モ−ドにおいて電圧が供給される各回路に加えて、１．８Ｖ基準電圧コントロ−ル回路２４、クロマ基準発振回路２８、映像出力回路２９、音声処理回路３０等、システムＩＣ２０を構成する全回路に所定の電圧が供給される。
【００１９】
図３は、上述した待機モ−ド、電圧保護モ−ドおよび通常モ−ドの各モ−ドが有効となるタイミングを説明するための説明図である。同図において、電源オフ時には、待機モ−ドが有効となっており、図２に示した各回路以外の回路への電圧の供給が遮断された状態となっている。そして、ユ−ザ−により電源オンの操作があると、従来のようにシステムＩＣ２０の全回路に電圧を供給する通常モ−ドに移行することはなく、電圧保護モ−ドが有効となる。この電圧保護モ−ドは、上述したように水平回路３の動作に必要な回路のみに電圧を供給するようにする一方、水平回路３の動作に不必要な回路については、電圧が遮断された状態を維持するようにする。そして、この電圧保護モ−ドから、システムＩＣ２０の全回路の電圧が供給される通常モ−ドに切り替えるタイミングは、水平回路３が動作するタイミングと略一致する。
【００２０】
図１に示したＲＯＭ４１に記憶されているＳＷ切替プログラム４１ａは、各モ−ドについて、図３に示した回路にのみ電圧が供給されるようにスイッチ回路ＳＷ１およびＳＷ２の動作態様や動作のタイミングを規定しているのである。具体的には、電源オンの操作があったことを受けて、スイッチ回路ＳＷ１のみをマイコン４０に接続するようにして８Ｖ基準電圧コントロ−ル回路２２、５Ｖ基準電圧コントロ−ル回路２３、水平基準発振回路２６および垂直基準発振回路２７に電圧が供給されるようにし、水平回路が動作するまでの時間を待って、さらに、スイッチ回路ＳＷ２をマイコン４０に接続するようにして、１．８Ｖ基準電圧コントロ−ル回路２４、クロマ基準発振回路２８、映像出力回路２９および音声処理回路３０にも電圧が供給されるようにするのである。
【００２１】
図４は、実施形態にかかるテレビジョン受信装置において実行されるモ−ド切替処理の流れを示すフロ−チャ−トである。このモ−ド切替処理は、待機モ−ドになったとき（電源がオフになったとき）に開始される処理である。まず、ステップＳ１００において、電源オンの操作があったか否かを判定する。電源オンの操作がなかったと判断した場合は、処理をステップＳ１００に戻して待機する一方、操作があったと判定した場合、次に、ステップＳ１１０において、スイッチ回路ＳＷ１の切り替えを行う。この処理において、スイッチ回路ＳＷ１をマイコン４０に接続するように切り替え、８Ｖ基準電圧コントロ−ル回路２２、５Ｖ基準電圧コントロ−ル回路２３、水平基準発振回路２６および垂直基準発振回路２７に電圧が供給されるようにすることにより、電圧保護モ−ドに切り替える処理を行う。
【００２２】
ステップＳ１１０に処理を実行すると、次に、ステップＳ１２０において、通常モ−ドへの切替タイミングであるか否かを判定する。この処理において、電源オンの操作があってから、水平回路３が動作するまでの時間が経過したか否かを判定することにより、通常モ−ドへの切替タイミングであるか否かを判定する。切替タイミングではないと判定した場合、ステップＳ１２０に処理を戻して待機する一方、切替タイミングであると判定した場合には、次に、ステップＳ１３０において、スイッチ回路ＳＷ２を切り替える。この処理において、スイッチ回路ＳＷ２をマイコン４０に接続するように切り替え、１．８Ｖ基準電圧コントロ−ル回路２４、クロマ基準発振回路２８、映像出力回路２９および音声処理回路３０を含むシステムＩＣ２０を構成する全回路に電圧が供給されるようにすることにより、通常モ−ドに切り替える処理を行う。
【００２３】
ステップＳ１３０の処理を実行すると、次に、ステップＳ１４０において電源オフの操作があったか否かを判定する。電源オフの操作がなかったと判定した場合は、ステップＳ１４０に処理を戻して待機する一方、操作があったと判定した場合、次に、ステップＳ１５０において、スイッチ回路ＳＷ１およびＳＷ２を切り替える処理を行う。この処理において、スイッチ回路ＳＷ１およびＳＷ２の両方をマイコン４０から切断するように切り替え、リセット回路２１およびマイコン基準発振回路２５のみに電圧が供給される待機モ−ドに切り替える処理を行う。そして、ステップＳ１５０の処理を実行すると、モ−ド切替処理を終了させる。
【００２４】
（３）まとめ：
以上説明したように、実施形態にかかるテレビジョン受信装置によれば、電源オンの操作があったときに、即座に通常モ−ドに切り替え、システムＩＣ２０を構成する全回路に一度に電圧を供給するのではなく、まず、水平回路３が動作するまでの間に、水平回路３の動作に必要な回路にのみ電圧を供給する電圧保護モ−ドに切り替え、水平回路３が動作するタイミングで通常モ−ドに切り替えるようにすることにより、マイコン４０への電圧の供給ラインに一度に大きな負荷がかかることがなく、マイコンへの電圧供給が不安定になることを防止することかでき、マイコンの誤動作の発生を抑制することが可能となる。
【図面の簡単な説明】
【００２５】
【図１】実施形態にかかるテレビジョン受信装置が具備するシステムＩＣの概略構成を示すブロック図である。
【図２】各モ−ドにおいて電圧が供給される回路を示す図である。
【図３】各モ−ドが有効となるタイミングを説明するための説明図である。
【図４】モ−ド切替処理の流れを示すフロ−チャ−トである。
【図５】従来技術にかかるテレビジョン受信装置の概略構成を示すブロック図である。
【図６】従来技術にかかるＰ−ＯＮコントロ−ル回路および電源回路の構成を示すブロック図である。
【図７】従来技術にかかるテレビジョン受信装置において、各電圧供給ラインに接続されている回路を示す図である。
【符号の説明】
【００２６】
１、２０…システムＩＣ
２…ＣＲＴ
３…水平回路
４…８．７Ｖ供給ライン
５…３．３Ｖ供給ライン
７…Ｐ−ＯＮコントロ−ル回路
７ａ…フィ−ドバック回路
９…電源回路
１１、２１…リセット回路
１２、２２…８Ｖ基準電圧コントロ−ル回路
１３、２３…５Ｖ基準電圧コントロ−ル回路
１４、２４…１．８Ｖ基準電圧コントロ−ル回路
１５、２５…マイコン基準発振回路
１６、２６…水平基準発振回路
１７、２７…垂直基準発振回路
１８、２８…クロマ基準発振回路
１９、２９…映像出力回路
２０、３０…音声処理回路
４０…マイコン
４１…ＲＯＭ
４１ａ…ＳＷ切替プログラム
４２…ＲＡＭ
【図１】
0003110950.tif 000003
【図２】
0003110950.tif 000004
【図３】
0003110950.tif 000005
【図４】
0003110950.tif 000006
【図５】
0003110950.tif 000007
【図６】
0003110950.tif 000008
【図７】
0003110950.tif 000009